(57)【要約】【課題】簡素な構造で部品点数が少なく量産性に優れ、既存の梯子の支柱の任意の高さに簡便かつ確実に取り付けることができ、装着作業性、信頼性、汎用性に優れ、配電盤等の対象物に梯子を確実に係止して転倒を防止することができ、安全性に優れ、不使用時には容易に取り外したり、折り畳んだりすることができ、梯子の搬送時や収納時に嵩張ることがなく、取り扱い性に優れる梯子転倒防止具の提供。【解決手段】左右の支柱の背面部を対象物の天板部の角部に立て掛けて使用する梯子に着脱自在に配設される梯子転倒防止具であって、梯子の左右の支柱のいずれか一方の背面部に当接する基部と基部に延設され対象物の天板部の上面に当接して係止される当接部とを有する係止部材と、支柱に係止部材の基部を固定する固定部と、を備えている。【選択図】図１
0003130003.tif 000002
【実用新案登録請求の範囲】
【請求項１】
左右の支柱の背面を対象物の天板部の角部に立て掛けて使用する梯子に着脱自在に配設される梯子転倒防止具であって、前記梯子の前記左右の支柱のいずれか一方の前記背面に当接する基部と前記基部に延設され前記対象物の前記天板部の上面に当接して係止される当接部とを有する係止部材と、前記支柱に前記係止部材の前記基部を固定する固定部と、を備えたことを特徴とする梯子転倒防止具。
【請求項２】
前記固定部が、前記基部との間で前記支柱を挟持する挟持部を備えたことを特徴とする請求項１に記載の梯子転倒防止具。
【請求項３】
前記固定部が、前記基部と前記挟持部の間隔を調整する間隔調整部を備えたことを特徴とする請求項２に記載の梯子転倒防止具。
【請求項４】
前記係止部材が、前記基部の前記挟持部側の表面に突設され前記挟持部の前記基部側の表面に当接するストッパー部を備えたことを特徴とする請求項２又は３に記載の梯子転倒防止具。
【請求項５】
前記固定部が、前記挟持部の前記基部側の表面に突設され前記基部の前記挟持部側の表面に当接するストッパー部を備えたことを特徴とする請求項２又は３に記載の梯子転倒防止具。
【請求項６】
前記係止部材が、前記基部の前記挟持部側の表面に突設され前記支柱の外側面に当接する位置ずれ防止部を備えたことを特徴とする請求項２乃至５の内いずれか１項に記載の梯子転倒防止具。
【請求項７】
前記固定部が、前記挟持部の前記基部側の表面に突設され前記支柱に係合する係合凸部を備えたことを特徴とする請求項２乃至６の内いずれか１項に記載の梯子転倒防止具
【請求項８】
前記左の支柱に固定された前記係止部材の前記基部と、前記右の支柱に固定された前記係止部材の前記基部の間を連結する基部連結部を備えたことを特徴とする請求項１乃至７の内いずれか１項に記載の梯子転倒防止具。
【請求項９】
前記左の支柱に固定された前記係止部材の前記当接部と、前記右の支柱に固定された前記係止部材の前記当接部の間を連結する当接部連結部を備えたことを特徴とする請求項１乃至８の内いずれか１項に記載の梯子転倒防止具。
【請求項１０】
前記係止部材が、前記対象物の前記天板部の前記上面に当接する前記当接部の当接面に貼着された弾性部材を備えたことを特徴とする請求項１乃至９の内いずれか１項に記載の梯子転倒防止具。
【考案の詳細な説明】
【技術分野】
【０００１】
本考案は、既存の梯子の支柱に着脱自在に取り付けて梯子の転倒を防止する梯子転倒防止具に関するものである。
【背景技術】
【０００２】
従来、梯子の支柱に装着してその転倒を防止する梯子転倒防止具や転倒防止具を備えた梯子について、様々な検討がなされている。
例えば、（特許文献１）には、梯子を構成する一対の支柱の一方又は双方に、支柱に沿って昇降し且つ一方向にのみ回転するアームを取付けるとともに、アームの昇降を任意の位置で係止させる手段を有することを特徴とする安全装置付き梯子が開示されている。
また、（特許文献２）には、支柱に梯子を立て掛ける部材に固定する固定具が取り付けられてなることを特徴とする梯子が開示されている。
さらに、（特許文献３）、（特許文献４）には、アルミニウム帯板の片面に弾性体の滑り止め部を設け、アルミニウム帯板の他方の片面の両側に支柱装着用金具を設けて、梯子の支柱と直角方向或いは梯子の支柱と平行方向に取り付ける梯子の滑り防止具が開示されている。
【特許文献１】特開昭５２−１３８２６６号公報
【特許文献２】実開平０２−７２８００号公報
【特許文献３】実開平０４−１２７４００号公報
【特許文献４】実開平０１−１３２１９８号公報
【考案の開示】
【考案が解決しようとする課題】
【０００３】
しかしながら上記従来の技術は、以下のような課題を有していた。
（１）（特許文献１）は、梯子に予め安全装置が組み込まれたものであり、アームが支柱に沿って昇降し且つ一方向に回転するものであるため、構造が複雑で量産性に欠けると共に、既存の梯子に取り付けることができず、汎用性、取り扱い性に欠けるという課題を有していた。
（２）（特許文献２）は、アーム（固定具）が支柱に回転自在に軸支され、アームの自由端に突設された爪を庇などの上端面に金槌などで打ち込んで固定するものであるため、固定作業が繁雑で、梯子を立て掛ける対象物が限定され、汎用性、取り扱い性に欠けるという課題を有していた。
（３）（特許文献３）、（特許文献４）は、平板状のアルミニウム帯板の片面に設けた弾性体の滑り止め部を対象物の角に押し当てるものであり、滑り止め部の摩擦力のみで転倒を防止するので、固定安定性に欠けると共に、滑り止め部が摩耗する等して破損し易く、耐久性、長寿命性に欠けるという課題を有していた。
また、支柱装着用金具の構造が複雑で量産性に欠け、支柱への取り付け作業も煩雑で、梯子への着脱作業性、取り扱い性に欠けるという課題を有していた。
【０００４】
本考案は上記従来の課題を解決するもので、簡素な構造で部品点数が少なく量産性に優れ、既存の梯子の支柱の任意の高さに簡便かつ確実に取り付けることができ、装着作業性、信頼性、汎用性に優れ、配電盤等の対象物に梯子を確実に係止して転倒を防止することができ、安全性に優れ、不使用時には容易に取り外したり、折り畳んだりすることができ、梯子の搬送時や収納時に嵩張ることがなく、取り扱い性に優れる梯子転倒防止具の提供を目的とする。
【課題を解決するための手段】
【０００５】
上記従来の課題を解決するために本考案の梯子転倒防止具は、以下の構成を有している。
本考案の請求項１に記載の梯子転倒防止具は、左右の支柱の背面部を対象物の天板部の角部に立て掛けて使用する梯子に着脱自在に配設される梯子転倒防止具であって、前記梯子の前記左右の支柱のいずれか一方の前記背面部に当接する基部と前記基部に延設され前記対象物の前記天板部の上面に当接して係止される当接部とを有する係止部材と、前記支柱に前記係止部材の前記基部を固定する固定部とを備えた構成を有している。
この構成により、以下のような作用が得られる。
（１）梯子の左右の支柱のいずれか一方の背面部に当接する基部と基部に延設され対象物の天板部の上面に当接して係止される当接部とを有する係止部材と、支柱に係止部材の基部を固定する固定部を備えているので、梯子の支柱の背面部を対象物の天板部の角部に立て掛けて使用する際に、係止部材の当接部を対象物の天板部に係止して梯子を固定することができ、梯子の滑落や横転を確実に防止することができ、梯子の固定安定性、転倒防止の信頼性に優れる。
（２）支柱に係止部材の基部を固定する固定部を有するので、既存の支柱に簡便かつ強固に固定することができ、また対象物の天井部の高さに応じて、容易に取り付け位置を変更することができ、汎用性に優れる。
（３）固定部により支柱と係止部材を容易に着脱することができるので、不使用時には容易に取り外すことができ、梯子の搬送時や収納時に嵩張ることがなく、取り扱い性に優れる。
【０００６】
ここで、係止部材や固定部の材質としては、ステンレス鋼、クロム鋼、鉄鋼、鋳鋼、鋳鉄、カーボン鉄鋼、アルミニウム合金等の金属製の他、カーボン繊維やボロン繊維、ガラス繊維、金属繊維等の有機や無機の繊維と合成樹脂で成形加工したもの等が好適に用いられる。尚、金属製の場合、防錆加工されたものが取り扱い性に優れ好ましい。
係止部材の基部及び当接部は、平板状や断面略コ字型などに形成することができる。基部及び当接部の断面を略コ字型に形成したり、要所にリブを配設したりして補強することにより、係止部材全体の剛性、耐久性を向上させすることができ、基部及び当接部の板厚を薄くして軽量化を図ることができる。
【０００７】
梯子転倒防止具は、梯子の左右の支柱のいずれか一方のみに装着してもよいし、２つ一組にして左右の支柱にそれぞれ装着してもよい。特に、左右の支柱に装着した場合は、固定安定性を向上されことができ、より確実に梯子の横転を防止できる。尚、係止部材の当接部を幅広に形成する等して十分な当接面積が確保できる場合には、１つの梯子転倒防止具を梯子の左右の支柱のいずれか一方に装着するだけで、ほぼ同様の固定安定性が得られる。
係止部材の基部と当接部のなす角１００度〜１１０度とすることが好ましい。これにより、梯子を対象物に立て掛けた際に、接地面と梯子の支柱のなす角が７０度〜８０度となり、梯子の昇降時や梯子上での作業時の安定性に優れる。
【０００８】
固定部は、梯子の支柱に係止部材の基部を固定できるものであればよいが、固定部と基部の間に支柱を挟んで固定するものが好適に用いられる。特に、ねじ止めで固定するものは着脱が容易であり、強固に固定できるので施工性に優れる。
【０００９】
請求項２に記載の考案は、請求項１に記載の梯子転倒防止具であって、前記固定部が、前記基部との間で前記支柱を挟持する挟持部を備えた構成を有している。
この構成により、請求項１で得られる作用に加え、以下のような作用が得られる。
（１）固定部が、基部との間で支柱を挟持する挟持部を有することにより、基部と挟持部との間隔を容易に調整することができ、支柱の形状や部材の厚さによらず、確実に固定することができ、汎用性、固定安定性に優れる。
【００１０】
ここで、挟持部は支柱全体を挟むようにしてもよいし、支柱の一部を挟むようにしてもよい。特に、梯子の支柱が断面略コ字型に形成されている場合は、背面部に配設された基部とコ字型の開口部に配設された挟持部で挟持することにより、強固に固定することができ、固定安定性に優れる。
挟持部は平板状に形成してもよいが、支柱との当接面側に、支柱に係合する係合凸部を設けた場合、挟持部の締め付け力を確実に支柱に伝達することができ、固定安定性に優れる。特に、支柱に凹凸や段差などがある場合、凹凸や段差を避けて支柱の平坦部に係合凸部を当接させて固定することができ、汎用性、固定の信頼性に優れる。尚、係合凸部としては、要所にピン状の突起を形成してもよいし、所望の長さの凸条などを形成してもよい。
【００１１】
請求項３に記載の考案は、請求項２に記載の梯子転倒防止具であって、前記固定部が、前記基部に穿設された固定孔に挿通された固定ねじと、前記挟持部に形設され前記固定ねじが螺合される雌ねじ部と、を備えた構成を有している。
この構成により、請求項２で得られる作用に加え、以下のような作用が得られる。
（１）固定部が、基部に穿設された固定孔に挿通された固定ねじと、挟持部に形設され固定ねじが螺合される雌ねじ部を有することにより、固定ねじを緩めたり、締めたりするだけで簡便に基部と挟持部との間隔を調整することができ、支柱への係止部材の着脱を容易に行うことができる。
【００１２】
ここで、基部の長手方向の少なくとも上下二箇所に固定ねじを配置することにより、挟持部で均等かつ強固に支柱を締め付けることができ、基部の固定安定性に優れる。尚、固定ねじを蝶ねじにした場合、ドライバなどの工具を用いることなく、手作業で簡便に着脱作業を行うことができ、施工性に優れる。
【００１３】
請求項４に記載の考案は、請求項２又は３に記載の梯子転倒防止具であって、前記係止部材の前記基部の前記挟持部側の表面又は前記固定部の前記挟持部の前記基部側の表面の少なくともいずれか一方に突設され、前記挟持部の前記基部側の表面又は前記基部の前記挟持部側の表面に当接する支持突起部を備えた構成を有している。
この構成により、請求項２又は３で得られる作用に加え、以下のような作用が得られる。
（１）係止部材の基部の挟持部側の表面又は固定部の挟持部の基部側の表面の少なくともいずれか一方に突設され、挟持部の基部側の表面又は基部の挟持部側の表面に当接する支持突起部を有することにより、挟持部が片当たりするのを防止でき、挟持部の締め付け力を確実かつ均一に支柱に伝達することができ、固定安定性を向上させることができる。
【００１４】
ここで、支持突起部としては、要所にピン状の突起を形成してもよいし、所望の長さの凸条などを形成してもよい。特に、挟持部が係合凸部を有する場合、係合凸部が支柱に当接した時に、支持突起部が挟持部の基部側の表面又は基部の挟持部側の表面に当接するように高さを設定しておけば、基部と挟持部が略平行になり、確実かつ強固に固定することができ、固定安定性に優れる。
【００１５】
請求項５に記載の考案は、請求項２乃至４の内いずれか１項に記載の梯子転倒防止具であって、前記係止部材が、前記基部の前記挟持部側の表面に突設され前記支柱の外側面に当接する支柱案内部を備えた構成を有している。
この構成により、請求項２乃至４の内いずれか１項で得られる作用に加え、以下のような作用が得られる。
（１）係止部材が、基部の挟持部側の表面に突設され支柱の外側面に当接する支柱案内部を有することにより、支柱に対する係止部材の傾きや左右方向の位置ずれを防止でき、係止部材の当接部を対象物の天板部の上面に確実に面接触させることができ、転倒防止の信頼性に優れる。
【００１６】
ここで、支柱案内部は支柱の外側面に当接して位置決めできるものであればよい。例えば、基部の長手方向の少なくとも上下２箇所にピン状の突起として形成してもよいし、支柱の外側面と面接触するように凸条に形成してもよい。
【００１７】
請求項６に記載の考案は、請求項１乃至５の内いずれか１項に記載の梯子転倒防止具であって、前記左右の支柱の各々に固定される前記係止部材の前記基部同士又は前記左右の支柱に固定される前記係止部材の前記当接部同士の少なくともいずれか一方を連結する連結部を備えた構成を有している。
この構成により、請求項１乃至５の内いずれか１項で得られる作用に加え、以下のような作用が得られる。
（１）左右の支柱の各々に固定される係止部材の基部同士又は左右の支柱に固定される係止部材の当接部同士の少なくともいずれか一方を連結する連結部を有することにより、左右の支柱の各々に固定される係止部材を一体化して取り扱うことができ、梯子の上端でなく、途中に装着する際に、左右の高さ調整が不要で施工性、取り扱い性に優れる。
【００１８】
ここで、連結部は、予め係止部材と一体に形成してもよいし、別部材で形成したものを溶接やねじ止めなどにより固定して一体化してもよい。
【００１９】
請求項７に記載の考案は、請求項１乃至６の内いずれか１項に記載の梯子転倒防止具であって、前記係止部材が、前記対象物の前記天板部の上面に当接する前記当接部の当接面に貼着された弾性部材を備えた構成を有している。
この構成により、請求項１乃至６の内いずれか１項で得られる作用に加え、以下のような作用が得られる。
（１）係止部材が、対象物の天板部の上面に当接する当接部の当接面に貼着された弾性部材を有することにより、係止部材の当接部と対象物の天板部が直接、接触せず、天板部に傷がついたり、天板部の塗装が剥がれたりすることを確実に防止でき、取り扱い性に優れる。
（２）当接部の当接面に貼着された弾性部材の摩擦により、梯子の横滑りや水平面内での回転などを防止でき、固定安定性に優れる。
【００２０】
ここで、弾性部材の材質としては、クロロプレンゴム、スチレン−ブタジエンゴム、ニトリルゴム等の合成ゴムやポリエチレン、ポリプロピレン、ポリウレタン、ユリア樹脂、架橋ポリエチレン等の合成樹脂などが好適に用いられる。
【００２１】
請求項８に記載の考案は、請求項１乃至７の内いずれか１項に記載の梯子転倒防止具であって、前記係止部材の前記基部と前記当接部を回動自在に保持する回動支持部を備えた構成を有している。
この構成により、請求項１乃至７の内いずれか１項で得られる作用に加え、以下のような作用が得られる。
（１）係止部材の基部と当接部を回動自在に保持する回動支持部を有することにより、不使用時には基部に対して当接部を折り畳むことができ、梯子の搬送時や収納時に嵩張ることがないので、支柱から係止部材を取り外す必要がなく、取り扱い性に優れる。
【００２２】
ここで、回動支持部としては、蝶番などが好適に用いられる。尚、係止部材の当接部を対象物の天板部に係止させた際に、基部と当接部のなす角が所定の角度以上に開かないようにストッパー部を設けた場合、梯子の滑落を確実に防止でき、固定安定性に優れる。ストッパー部としては、基部の上端側から延設され、当接部の上面に当接するものが好適に用いられる。また、所定の角度で、基部及び当接部の端面同士が係合するように、各々の端部に傾斜状のストッパー部を形成した場合も、同様の作用が得られる。
【考案の効果】
【００２３】
以上のように、本考案の梯子転倒防止具によれば、以下のような有利な効果が得られる。
請求項１に記載の考案によれば、以下のような有利な効果が得られる。
（１）係止部材が、梯子の支柱の背面部に当接する基部と、基部に延設された当接部と、を有するので、固定部で支柱に係止部材の基部を着脱自在に固定することができ、梯子の支柱の背面部を対象物の天板部の角部に立て掛けて使用する際に、係止部材の当接部を対象物の天板部に係止して梯子を固定することができ、梯子の滑落や横転を確実に防止することができる梯子の固定安定性、転倒防止の信頼性に優れた梯子転倒防止具を提供することができる。
（２）固定部により支柱と係止部材を容易に着脱することができるので、対象物の天井部の高さに応じて、取り付け位置を変更したり、不使用時に取り外したりすることができ、梯子の搬送時や収納時に嵩張ることがなく、汎用性、取り扱い性に優れた梯子転倒防止具を提供することができる。
【００２４】
請求項２に記載の考案によれば、請求項１に記載の効果に加えて以下のような有利な効果が得られる。
（１）基部と挟持部との間隔を調整するだけで、支柱の形状や部材の厚さによらず、確実に支柱に係止部材を固定することができる汎用性、固定安定性に優れた梯子転倒防止具を提供することができる。
【００２５】
請求項３に記載の考案によれば、請求項２に記載の効果に加えて以下のような有利な効果が得られる。
（１）基部の固定孔に挿通された固定ねじを挟持部の雌ねじ部に螺合するだけで、基部と挟持部で支柱を挟持して支柱に係止部材を固定できるので、固定ねじの締め付け量によって簡便に基部と挟持部との間隔を調整することができ、支柱への係止部材の着脱を容易に行うことができる施工性、汎用性に優れた梯子転倒防止具を提供することができる。
【００２６】
請求項４に記載の考案によれば、請求項２又は３に記載の効果に加えて以下のような有利な効果が得られる。
（１）係止部材の基部の挟持部側の表面又は固定部の挟持部の基部側の表面の少なくともいずれか一方に突設された支持突起部を挟持部の基部側の表面又は基部の挟持部側の表面に当接させることにより、挟持部が片当たりするのを防止でき、挟持部の締め付け力を確実かつ均一に支柱に伝達することができる固定安定性に優れた梯子転倒防止具を提供することができる。
【００２７】
請求項５に記載の考案によれば、請求項２乃至４の内いずれか１項に記載の効果に加えて以下のような有利な効果が得られる。
（１）係止部材の基部の挟持部側の表面に突設された支柱案内部を支柱の外側面に当接させることにより、支柱に対する係止部材の傾きや左右方向の位置ずれを防止でき、係止部材の当接部を対象物の天板部の上面に確実に面接触させることができる転倒防止の信頼性に優れた梯子転倒防止具を提供することができる。
【００２８】
請求項６に記載の考案によれば、請求項１乃至５の内いずれか１項に記載の効果に加えて以下のような有利な効果が得られる。
（１）左右の支柱の各々に固定される係止部材の基部同士又は当接部同士の少なくともいずれか一方が連結部で連結されることにより、左右の支柱の各々に固定される２つの係止部材を一体化して取り扱うことができ、梯子の上端でなく、途中に装着する際に、左右の高さ調整が不要で施工性、取り扱い性に優れた梯子転倒防止具を提供することができる。
【００２９】
請求項７に記載の考案によれば、請求項１乃至６の内いずれか１項に記載の効果に加えて以下のような有利な効果が得られる。
（１）係止部材の当接部の当接面に弾性部材が貼着されていることにより、係止部材の当接部と対象物の天板部が直接、接触せず、天板部に傷がついたり、天板部の塗装が剥がれたりすることがなく、取り扱い性に優れ、弾性部材の摩擦により、梯子の横滑りや水平面内での回転などを確実に防止できる固定安定性に優れた梯子転倒防止具を提供することができる。
【００３０】
請求項８に記載の考案によれば、請求項１乃至７の内いずれか１項に記載の効果に加えて以下のような有利な効果が得られる。
（１）係止部材の基部と当接部が回動支持部により回動自在に保持されているので、不使用時には基部に対して当接部を折り畳むことができ、当接部が梯子の搬送時や収納時に嵩張らず、支柱から係止部材を取り外す必要がなく、取り扱い性に優れた梯子転倒防止具を提供することができる。
【考案を実施するための最良の形態】
【００３１】
以下、本考案の実施の形態における梯子転倒防止具について、図面を参照しながら説明する。
（実施の形態１）
図１は実施の形態１における梯子転倒防止具を備えた梯子の使用状態を示す要部斜視図である。
図１中、１ａ，１ｂは左右対称に形成され梯子１５の左右の支柱１６ａ，１６ｂに２つ一組で着脱自在に配設された実施の形態１における梯子転倒防止具、２は略Ｌ字型に形成された梯子転倒防止具１ａ，１ｂの係止部材、３は梯子１５の左右の支柱１６ａ，１６ｂのいずれか一方の背面部１７ｂに当接する係止部材２の基部、４は基部３に延設され配電盤等の対象物２０の天板部２２の上面に当接して係止される係止部材２の当接部、５は基部３及び当接部４の当接面に貼着された係止部材２の弾性部材、６は左右の支柱１６ａ，１６ｂに係止部材２の基部３を固定する梯子転倒防止具１ａ，１ｂの固定部、１５は左右の支柱１６ａ，１６ｂの背面部１７ｂを対象物２０の天板部２２の角部２２ａに立て掛けて使用する梯子、１６ａ，１６ｂはリップ溝型に形成された梯子１５の左右の支柱、１７ａは支柱１６ａ，１６ｂの外側面、１７ｂは支柱１６ａ，１６ｂの背面部、１７ｃは支柱１６ａ，１６ｂの前面部、１７ｄは支柱１６ａ，１６ｂの背面部１７ｂ及び前面部１７ｃの端部に形成されたリップ、１７ｅは支柱１６ａ，１６ｂの背面部内面、１８は左右の支柱１６ａ，１６ｂの間に渡設された梯子１５の踏桟、２１は対象物２０の周壁部である。
【００３２】
次に、梯子転倒防止具の詳細について説明する。
図２（ａ）は実施の形態１における梯子転倒防止具の平面図であり、図２（ｂ）は実施の形態１における梯子転倒防止具の側面図であり、図３は実施の形態１における梯子転倒防止具の支柱への取り付け状態を示す要部断面平面図である。
２つ一組で使用する実施の形態１における梯子転倒防止具１ａ，１ｂは左右対称なので、梯子転倒防止具１ｂについて説明する。
図２中、５ａは後述する固定ねじ８の頭部８ａを避けて形成された弾性部材５の切り欠き部、７は基部３との間で支柱１６ａ，１６ｂの背面部１７ｂを挟持する固定部６の挟持部、７ｂは挟持部７の基部３側の表面の上下２箇所に突設され支柱１６ｂの背面部内面１７ｅ（図３参照）に係合する係合凸部、８は基部３の固定孔３ａに挿通され挟持部７に形設された雌ねじ部７ａに螺合された固定部６の固定ねじ、８ａは固定ねじ８の頭部、９は基部３の挟持部７側の表面の上下２箇所に突設され挟持部７の基部３側の表面に当接するピン状の支持突起部、１０は基部３の挟持部７側の表面の上下２箇所に突設され支柱１６ｂの外側面１７ａ（図３参照）に当接する支柱案内部である。
【００３３】
係止部材２や固定部６の材質としては、ステンレス鋼、クロム鋼、鉄鋼、鋳鋼、鋳鉄、カーボン鉄鋼、アルミニウム合金等の金属製の他、カーボン繊維やボロン繊維、ガラス繊維、金属繊維等の有機や無機の繊維と合成樹脂で成形加工したもの等を用いることができる。
弾性部材５の材質としては、クロロプレンゴム、スチレン−ブタジエンゴム、ニトリルゴム等の合成ゴムやポリエチレン、ポリプロピレン、ポリウレタン、ユリア樹脂、架橋ポリエチレン等の合成樹脂などを用いることができる。
【００３４】
以上のように構成された実施の形態１における梯子転倒防止具の使用方法について説明する。
図４は実施の形態１における梯子転倒防止具を備えた梯子の使用状態を示す要部側面図である。
まず、図２に示すように、固定部６の固定ねじ８を緩め、基部３と挟持部７との間隔を広げた後、その間に梯子１５の支柱１６ｂの背面部１７ｂを挿入する。このとき、支柱案内部１０を支柱１６ｂの外側面１７ａに当接させることにより、支柱１６ｂに対する係止部材２の傾きや左右方向の位置ずれを防止する。
次に、固定ねじ８を締め付けることにより基部３と挟持部７との間隔が狭くなり、図３に示すように、挟持部７の係合凸部７ｂが支柱１６ｂの背面部内面１７ｅに係合すると共に、基部３の支持突起部９が挟持部７の基部３側の表面に当接して梯子転倒防止具１ｂが支柱１６ｂに固定される。
同様にして梯子転倒防止具１ａも支柱１６ａに固定される。
【００３５】
固定部６の挟持部７の基部３側の表面に支柱１６ｂの背面部内面１７ｅに係合する係合凸部７ｂを設けたことにより、挟持部７の締め付け力を確実に支柱１６ｂに伝達することができ、固定安定性に優れる。特に、支柱１６ｂの背面部１７ｂの端部に形成されたリップ１７ｄを避けて支柱１６ｂの背面部内面１７ｅの平坦部に係合凸部７ｂを当接させて固定することができるので、汎用性、固定の信頼性に優れる。係合凸部７ｂが支柱１６ｂの背面部内面１７ｅに当接した時に、支持突起部９が挟持部７の基部３側の表面に当接するように高さが設定されているので、基部３と挟持部７が略平行になり、確実かつ強固に固定することができ、固定安定性に優れる。
また、基部３の長手方向の上下二箇所に固定ねじ８を配置することにより、挟持部７で均等かつ強固に支柱１６ｂの背面部１７ｂを締め付けることができ、基部３の固定安定性に優れる。
【００３６】
以上のようにして梯子転倒防止具１ａ，１ｂが装着された梯子１５を図１に示したように、対象物２０の天板部２２の角部２２ａに立て掛けると、係止部材２の当接部４が天板部２２の上面に面接触して係止され固定される。
図４中、αは梯子転倒防止具１ａの係止部材２の当接部４と梯子１５の支柱１６ａがなす角度であるが、この角度αは接地面と梯子１５の支柱１６ａ，１６ｂのなす角に等しい。角度αを７０度〜８０度とすることにより、梯子１５の昇降時や梯子１５上での作業時の安定性に優れる。
【００３７】
本実施の形態では、梯子転倒防止具１ａ，１ｂを２つ一組にして左右の支柱１６ａ，１６ｂにそれぞれ装着することにより、梯子１５の固定安定性を向上させ、確実に梯子１５の横転を防止したが、梯子転倒防止具１ａ，１ｂは、梯子１５の左右の支柱１６ａ，１６ｂのいずれか一方のみに装着してもよい。この場合、少なくとも当接部４の幅を広げると、摩擦により安定性に優れる。
また、本実施の形態では、係合凸部７ｂ，支持突起部９，支柱案内部１０をピン状の突起として上下二箇所に配置したが、これらの形状や配置はこれに限定されるものではなく、適宜、選択することができる。尚、支持突起部９は基部３の挟持部７側の表面に突設する代わりに、挟持部７の基部３側の表面に突設しても同様の作用が得られる。
【００３８】
以上のように実施の形態１における梯子転倒防止具は構成されているので、以下のような作用が得られる。
（１）梯子１５の左右の支柱１６ａ，１６ｂのいずれか一方の背面部１７ｂに当接する基部３と基部３に延設され対象物２０の天板部２２の上面に当接して係止される当接部４とを有する係止部材２と、支柱１６ａ，１６ｂに係止部材２の基部３を固定する固定部６を備えているので、梯子１５の支柱１６ａ，１６ｂの背面部１７ｂを対象物２０の天板部２２の角部２２ａに立て掛けて使用する際に、係止部材２の当接部４を対象物２０の天板部２２に係止して梯子１５を固定することができ、梯子１５の滑落や横滑り等を確実に防止することができ、梯子１５の固定安定性、転倒防止の信頼性に優れる。
（２）支柱１６ａ，１６ｂに係止部材２の基部３を固定する固定部６を有するので、既存の支柱１６ａ，１６ｂに簡便かつ強固に固定することができ、また対象物２０の天井部２２の高さに応じて、容易に取り付け位置を変更することができ、汎用性に優れる。
（３）固定部６により支柱１６ａ，１６ｂと係止部材２を容易に着脱することができるので、不使用時には容易に取り外すことができ、梯子１５の搬送時や収納時に嵩張ることがなく、取り扱い性に優れる
（４）固定部６が、基部３との間で支柱１６ａ，１６ｂを挟持する挟持部７を有することにより、基部３と挟持部７との間隔を容易に調整することができ、支柱１６ａ，１６ｂの形状や部材の厚さによらず、確実に固定することができ、汎用性、固定安定性に優れる。
（５）固定部６が、基部３に穿設された固定孔３ａに挿通された固定ねじ８と、挟持部７に形設され固定ねじ８が螺合される雌ねじ部７ａを有することにより、固定ねじ８を緩めたり、締めたりするだけで簡便に基部３と挟持部７との間隔を調整することができ、支柱１６ａ，１６ｂへの係止部材２の着脱を容易に行うことができる。
（６）係止部材２の基部３の挟持部７側の表面に突設され、挟持部７の基部３側の表面に当接する支持突起部９を有することにより、挟持部７が片当たりするのを防止でき、挟持部７の締め付け力を確実かつ均一に支柱１６ａ，１６ｂに伝達することができ、固定安定性を向上させることができる。
（７）係止部材２が、基部３の挟持部７側の表面に突設され支柱１６ａ，１６ｂの外側面１７ａに当接する支柱案内部１０を有することにより、支柱１６ａ，１６ｂに対する係止部材２の傾きや左右方向の位置ずれを防止でき、係止部材２の当接部４を対象物２０の天板部２２の上面に確実に面接触させることができ、転倒防止の信頼性に優れる。
（８）係止部材２が、対象物２０の天板部２２の上面に当接する当接部４の当接面に貼着された弾性部材５を有することにより、係止部材２の当接部４と対象物２０の天板部２２が直接、接触せず、天板部２２に傷がついたり、天板部２２の塗装が剥がれたりすることを確実に防止でき、取り扱い性に優れる。
（９）当接部４の当接面に貼着された弾性部材５の摩擦により、梯子１５の横滑りや水平面内での回転などを防止でき、固定安定性に優れる。
【００３９】
（実施の形態２）
図５（ａ）は実施の形態２における梯子転倒防止具の側面図であり、図５（ｂ）は実施の形態２における梯子転倒防止具の折り畳み状態を示す側面図である。尚、実施の形態１と同様のものには同一の符号を付して説明を省略する。
図５において、実施の形態２における梯子転倒防止具１ｃが実施の形態１と異なるのは、係止部材２ａの基部３と当接部４が蝶番を用いた回動支持部１１で回動自在に保持されている点である。尚、３ｂは基部３の上端側に延設され、使用時に当接部４の上面に当接して、基部３と当接部４のなす角が所定の角度以上に開くことを防止するストッパー部である。
ストッパー部３ｂは基部３と当接部４のなす角が所定の角度以上に開くことを防止できるものであればよく、基部３及び当接部４の端部同士が、所定の角度で噛み合うように、傾斜状のストッパー部を形成した場合も、同様の作用が得られる。
【００４０】
以上のように実施の形態２における梯子転倒防止具は構成されているので、実施の形態１と同様の作用に加え、以下のような作用が得られる。
（１）係止部材２ａの基部３と当接部４を回動自在に保持する回動支持部１１を有することにより、不使用時には基部３に対して当接部４を折り畳むことができ、梯子１５の搬送時や収納時に嵩張ることがないので、支柱１６ａ，１６ｂから係止部材２ａを取り外す必要がなく、取り扱い性に優れる。
【００４１】
（実施の形態３）
図６（ａ）は実施の形態３における梯子転倒防止具の斜視図であり、図６（ｂ）は図６（ａ）のＡ−Ａ線断面矢視図である。尚、実施の形態１と同様のものには同一の符号を付して説明を省略する。
図６において、実施の形態３における梯子転倒防止具１ｄが実施の形態１と異なるのは、係止部材２ｂの基部３及び当接部４の両側部にそれぞれリブ３ｃ，４ａが突設され断面が略コ字型に形成されている点と、挟持部７の一側部を折曲して一体に形成された突条の係合凸部７ｃを有する点と、固定ねじ８が蝶型の頭部８ｂを有する点である。尚、基部３の両側のリブ３ｃは、基部３を補強すると共に、実施の形態１における支持突起部９及び支柱案内部１０を兼用することができ、部品点数、製造工数を低減でき量産性に優れる。
また、固定ねじ８の頭部８ｂが蝶型であることにより、ドライバなどの工具を用いることなく、手作業で簡便に着脱作業を行うことができ、施工性に優れる。
【００４２】
以上のように実施の形態３における梯子転倒防止具は構成されているので、実施の形態１と同様の作用に加え、以下のような作用が得られる。
（１）基部３及び当接部４の両側にリブ３ｃ，４ａを配設し断面を略コ字型に形成して補強することにより、係止部材２ｂ全体の剛性、耐久性を向上させすることができ、基部３及び当接部４の板厚を薄くして軽量化を図ることができ、取扱い性に優れる。
【００４３】
（実施の形態４）
図７は実施の形態４における梯子転倒防止具の斜視図である。尚、実施の形態１と同様のものには同一の符号を付して説明を省略する。
図７において、実施の形態４における梯子転倒防止具１ｅが実施の形態１と異なるのは、左右の支柱１６ａ，１６ｂの各々に固定される２つの係止部材２の基部３同士を連結する連結部１２を有する点である。
本実施の形態では、連結部１２により係止部材２の基部３同士のみを連結したが、当接部４同士のみを連結してもよいし、基部３同士と当接部４同士の両方を連結してもよい。
【００４４】
以上のように実施の形態４における梯子転倒防止具は構成されているので、実施の形態１と同様の作用に加え、以下のような作用が得られる。
（１）左右の支柱１６ａ，１６ｂの各々に固定される係止部材２の基部３同士又は左右の支柱１６ａ，１６ｂに固定される係止部材２の当接部４同士の少なくともいずれか一方を連結する連結部１２を有することにより、左右の支柱１６ａ，１６ｂの各々に固定される係止部材２を一体化して取り扱うことができ、特に、梯子１５の上端部ではなく、途中に梯子転倒防止具１ｅを装着する際に、左右の高さ調整が不要で施工性、取り扱い性に優れる。
【００４５】
（実施の形態５）
図８は実施の形態５における梯子転倒防止具の斜視図である。尚、実施の形態１と同様のものには同一の符号を付して説明を省略する。
図８において、実施の形態５における梯子転倒防止具１ｆが実施の形態１と異なるのは、基部２ｃの当接部４が、梯子１５の幅とほぼ同等の長さに延設された延設部４ｂを有し、右の支柱１６ｂのみに装着されている点である。
尚、延設部４ｂの形状や配置はこれに限定されるものではなく、十分な当接面積を確保できるものであればよい。また、延設部４ｂを設ける代わりに、当接部４を幅広に形成するなどしても同様の作用が得られる。
また、本実施の形態では、梯子転倒防止具１ｆを右の支柱１６ｂに装着したが、梯子転倒防止具１ｆと左右対称に形成したものを左の支柱１６ａに装着しても同様である。
【００４６】
以上のように実施の形態５における梯子転倒防止具は構成されているので、実施の形態１と同様の作用に加え、以下のような作用が得られる。
（１）係止部材２ｃの当接部４に延設部４ｂを形成して十分な当接面積を確保することにより、１つの梯子転倒防止具１ｆを梯子１５の左右の支柱１６ａ，１６ｂのいずれか一方に装着するだけで、梯子転倒防止具１ａ，１ｂを梯子１５の左右の支柱１６ａ，１６ｂにそれぞれ装着した場合とほぼ同様の固定安定性が得られる。
【産業上の利用可能性】
【００４７】
本考案は、簡素な構造で部品点数が少なく量産性に優れ、既存の梯子の支柱の任意の高さに簡便かつ確実に取り付けることができ、装着作業性、汎用性に優れ、対象物に梯子を確実に係止して転倒を防止することができ、信頼性に優れ、不使用時には容易に取り外したり、折り畳んだりすることができ、梯子の搬送時や収納時に嵩張ることがなく、取り扱い性に優れる梯子転倒防止具の提供を行うことができ、梯子の昇降や梯子上での作業の安定性を向上させることができる。
【図面の簡単な説明】
【００４８】
【図１】実施の形態１における梯子転倒防止具を備えた梯子の使用状態を示す要部斜視図
【図２】（ａ）実施の形態１における梯子転倒防止具の平面図（ｂ）実施の形態１における梯子転倒防止具の側面図
【図３】（ａ）実施の形態１における濾紙送り機構の初期状態を示す模式正面図（ｂ）実施の形態１における濾紙送り機構の濾紙の繰り出し状態を示す模式正面図（ｃ）実施の形態１における濾紙送り機構の濾紙の巻き取り状態を示す模式正面図
【図４】実施の形態１における梯子転倒防止具を備えた梯子の使用状態を示す要部側面図
【図５】（ａ）実施の形態２における梯子転倒防止具の側面図（ｂ）実施の形態２における梯子転倒防止具の折り畳み状態を示す側面図
【図６】（ａ）実施の形態３における梯子転倒防止具の斜視図（ｂ）図６（ａ）のＡ−Ａ線断面矢視図
【図７】実施の形態４における梯子転倒防止具の斜視図
【図８】実施の形態５における梯子転倒防止具の斜視図
【符号の説明】
【００４９】
１ａ，１ｂ，１ｃ，１ｄ，１ｅ，１ｆ  梯子転倒防止具
２  係止部材
３  基部
３ａ  固定孔
３ｂ  ストッパー部
３ｃ，４ａ  リブ
４  当接部
４ｂ  延設部
５  弾性部材
５ａ  切り欠き部
６  固定部
７  挟持部
７ａ  雌ねじ部
７ｂ  係合凸部
８  固定ねじ
８ａ，８ｂ  頭部
９  支持突起部
１０  支柱案内部
１１  回動支持部
１２  連結部
１５  梯子
１６ａ，１６ｂ  支柱
１７ａ  外側面
１７ｂ  背面部
１７ｃ  前面部
１７ｄ  リップ
１７ｅ  背面部内面
１８  踏桟
２０  対象物
２１  周壁部
２２  天板部
２２ａ  角部
【図１】
0003130003.tif 000003
【図２】
0003130003.tif 000004
【図３】
0003130003.tif 000005
【図４】
0003130003.tif 000006
【図５】
0003130003.tif 000007
【図６】
0003130003.tif 000008
【図７】
0003130003.tif 000009
【図８】
0003130003.tif 000010